【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
高品位（ＨＤ）番組の効率的な伝送のためのコンテンツ配信システムであって、
前記複数のＨＤ番組を受信する第一の装置と、
第一の装置に対し相互に作用しあうように結合され、事業者が管理する複数のルールに従って前記複数のＨＤ番組を処理するように構成されたサーバ装置と、
であって、前記処理は、前記ＨＤ番組の各々の少なくとも一部を少なくとも一つの統計的手法にもとづき多重化する処理を含むことを特徴とするサーバ装置と、
前記処理されたＨＤ番組を複数のＲＦチャンネルを介して伝送するように構成された伝送装置であって、前記チャンネルの少なくとも一部分は連続していない、伝送装置と、
を含むコンテンツ配信システムであって、
前記番組のうちの少なくとも一つの一部は、前記複数のＲＦチャンネルの各々を用いて伝送され、
前記複数の番組に対する前記処理は、非コンテンツデータを前記番組に挿入することを更に含み、前記非コンテンツデータは。前記第一の装置において前記番組を受信する際に有用なものであり、
前記事業者が管理する複数のルールのうちの少なくとも一つは、所定の多重パケットを優先的に、統計的に結合させること、であることを特徴とする高品位（ＨＤ）番組の効率的な伝送のためのコンテンツ配信システム。
【請求項２】
前記所定の多重パケットを優先的に、統計的に結合させるルールは、一つ以上の待ち行列から最大値のパケットを取り出すこと、であることを特徴とする、請求項１に記載のシステム。
【請求項３】
前記所定の多重パケットを優先的に、統計的に結合させるルールは、一つ以上の待ち行列からラウンド・ロビンの形式でパケットを取り出すこと、であることを特徴とする、請求項１に記載のシステム。
【請求項４】
前記所定の多重パケットを優先的に、統計的に結合させるルールは、どのパケットがそれらに対応した番組待ち行列に最も早く到着していたか、を評価すること、であることを特徴とする、請求項１に記載のシステム。
【請求項５】
前記伝送装置は、前記複数のＲＦチャンネルの数と同じ数の複数の変調器を有すること、を特徴とする、請求項１に記載のシステム。
【請求項６】
前記複数のＨＤ番組の処理は、統計的多重化装置を介した、各前記ＨＤ番組の少なくとも一部分の、少なくとも一回の、統計に基づく多重化であって：
複数の入力待ち行列のＮ個から、複数の異なるＨＤ番組と関連のあるコンテンツデータパケットを選択的に取り出す第一のプロセスと、
前記取り出されたコンテンツデータパケットを、前記複数のＲＦチャンネルに選択的に割り当てる第二のプロセスと、を有し、
前記複数の異なるＨＤ番組の少なくとも一つと関連するパケットは、前記ＲＦチャンネルの複数を介して配信されること、を特徴とする、請求項１に記載のシステム。
【請求項７】
コンテンツ配信ネットワークで有用となる統計的多重化装置であって、
複数のＮ個の入力待ち行列の中から、複数の異なる番組に対応したコンテンツデータパケットを選択的に取り出す第一の処理と、
前記取り出されたコンテンツデータパケットを、Ｍ個のＲＦチャンネルに選択的に割り当てる第二の処理と、を含み、
前記複数の異なる番組の少なくとも一つの第一の部分集合に対応するパケットは、前記Ｍ個のＲＦチャンネルの複数のものを介して統計的に多重化されることであり、前記複数の異なる番組の少なくとも一つの第二の部分集合に対応するパケットが前記Ｍ個のＲＦチャンネルのうちの一つのみについて統計的に多重化されることである、ことを特徴とする統計的多重化装置。
【請求項８】
前記異なる番組の前記第一の部分集合は、一つ以上の加入者の広帯域装置への供給のための番組であり、また前記異なる番組の前記第二の部分集合は、加入者のレガシーな装置への供給のための番組であること、を特徴とする請求項７に記載の装置。
【請求項９】
前記番組は、ＨＤメディア番組であること、を特徴とする請求項７に記載の装置。
【請求項１０】
前記複数のＲＦチャンネルのＭ個において前記取り出されたデータパケットを、伝送するための伝送装置を更に有すること、を特徴とする請求項７に記載の装置。
【請求項１１】
前記伝送装置は、前記複数のＲＦチャンネルと同じ数の複数の変調器を有すること、を特徴とする請求項１０に記載の装置。
【請求項１２】
前記複数のＨＤ番組の少なくとも一部分を量子化する量子化装置を更に有すること、を特徴とする請求項７に記載の装置。
【請求項１３】
前記量子化装置は、前記Ｍ個のＲＦチャンネルの少なくとも一つでの瞬間の帯域幅の利用可能性に関する情報を供給するものであり、その情報は、ＮからＭへのマッピングを決定するために用いられること、を特徴とする請求項１２に記載の装置。
【請求項１４】
コンテンツ配信システムであって、
複数のコンテンツを受信する第一の装置と、
第一の装置に対し相互に作用しあうように結合され、事業者が管理する複数のルールに従って前記複数のコンテンツの少なくとも個別の部分を統計的に多重化するように構成されたコンテンツサーバ装置と、
前記統計的に多重化されたコンテンツを複数のＲＦチャンネルを介して伝送するように構成された伝送装置であって、前記チャネルの少なくとも一部は不連続となっている伝送装置とを含むコンテンツ配信システムにおいて、
前記コンテンツに含まれる番組の少なくとも一部は、前記ＲＦチャンネルの複数のものを用いて各々伝送され、
前記統計的多重化は、異なるデータ伝送速度を有する少なくとも二つのデータカルーセルを使用し、前記少なくとも二つのデータカルーセルは、前記複数のＲＦチャンネル上でのコンテンツの最適化された配置を与える、ことを特徴とするコンテンツ配信システム。
【請求項１５】
前記統計的多重化は：
複数のＮ個の入力待ち行列の中から、複数の異なる番組に対応したコンテンツデータパケットを選択的に取り出す第一の処理と、
前記取り出されたコンテンツデータパケットを、前記複数のＲＦチャンネルに選択的に割り当てる第二の処理と、を含み、
前記異なる複数のＨＤ番組の少なくとも一つに対応するパケットは、前記ＲＦチャンネルの複数のものを介して配信される、ことを特徴とする、請求項１４に記載のシステム。
【請求項１６】
前記複数のコンテンツはＨＤ番組であること、を特徴とする請求項１４に記載のシステム。
【請求項１７】
前記伝送装置は、前記複数のＲＦチャンネルと同じ数の複数の変調器を有すること、を特徴とする請求項１４に記載のシステム。
【請求項１８】
複数のレガシーな加入者宅内機器（ＣＰＥ）と、それらに作用的に結合する複数の広帯域ＣＰＥを有するコンテンツ配信ネットワークに使用されるヘッド・エンドコンテンツ配信システムであって、
複数の入力コンテンツストリームを受信するように構成された少なくとも一つのインターフェースと、
前記入力コンテンツストリームを処理して、複数の出力ストリームを多重化の形式で発生させるマルチプレクサと、
前記複数の出力ストリームを暗号化する暗号化段と、
前記暗号化された出力ストリームを複数の搬送波に変調する変調段と、
前記ネットワークを介した配信のためのチャンネルに、前記変調された信号を転換する、周波数アップコンバージョン段と、を有し、
前記配信は、前記複数の広帯域ＣＰＥのみによってデコード可能な第一の複数の出力を供給し、また前記複数の広帯域ＣＰＥ及び前記複数のレガシーな加入者宅内機器の双方によってデコード可能な第二の複数の出力を供給すること、であることを特徴とするシステム。
【請求項１９】
前記マルチプレクサは、複数の異なる番組に対応するコンテンツデータパケットを複数の入力ストリームから選択的に抽出し、前記抽出されたコンテンツデータパケットを選択的に前記複数のチャンネルに割り当てる、ように構成されている、ことを特徴とする、請求項１８に記載のシステム。
【請求項２０】
前記第一の複数の出力上の第一の複数のプログラムのうちの一つに対応するパケットが、前記チャンネルのうちの複数を介して配信され、また前記第二の複数の出力上の第二の複数のプログラムのうちの一つに対応するパケットは、前記チャンネルのうちの一つを介して配信されること、を特徴とする、請求項１８に記載のシステム。
【請求項２１】
前記システムにおいて利用可能な帯域幅に関する、少なくとも一つの事業者が管理するルールによって、統計的多重化が制御されること、を特徴とする、請求項１８に記載のシステム。
【請求項２２】
前記少なくとも一つの事業者が管理するルールは：（１）ラウンドロビン形式（２）最大負荷形式及び／または（３）最小負荷形式、の少なくとも一つを有すること、を特徴とする、請求項２１に記載のシステム。
【請求項２３】
複数のパケット待ち行列を更に有し、前記少なくとも一つの事業者が管理するルールは、パケットの最大値を有する一つ以上のパケット待ち行列から優先的にパケットを取り出すこと、を特徴とする請求項２１に記載のシステム。
【請求項２４】
複数のパケット待ち行列を更に有し、前記少なくとも一つの事業者が管理するルールは、一つ以上のパケット待ち行列へのそれぞれの到達時間に基づいて、前記一つ以上のパケット待ち行列から優先的にパケットを取り出すこと、を特徴とする請求項２１に記載のシステム。